(57)【要約】【課題】            履物を乾燥状態で整理良く保管することができる設置スペースを取らない下足箱を得る。【解決手段】        可逆的な吸放湿機能を備えた除湿器と、除湿器に通風させる送風機と、除湿器に通す空気を昇温する加熱手段とを組込んだ風路を外殻内に構成し、風路を経路とする吸込口１４と吹出口１６を持つ除湿経路と、風路を経路とする吸込口１４と吹出口１６とは別の吸込口と吹出口を持つ再生経路とを構成した吸着除湿装置２を、履物３類を収納する棚段４を有する開閉可能の箱体１に組込み、除湿経路の出入口を箱体１内に連絡させ、再生経路の出入口を箱体１外に連絡させ、除湿経路と再生経路とを開閉ダンパ機構によって切換え、再生経路による再生運転と除湿経路による除湿運転とを交番して行うようにするとともに、箱体１には各棚段４に除湿経路の吹出口１６からの気流を送り、除湿経路の吸込口１４に導く送風路を構成する。【選択図】          図１
2005230324.tif 000002
【特許請求の範囲】
【請求項１】
空気を通す多数の通路を有し、可逆的な吸放湿機能を備えた除湿器と、この除湿器の通路に通風させる送風機と、前記除湿器に通す空気を昇温する加熱手段とを組込んだ風路を外殻内に構成し、この風路を経路とする吸込口と吹出口を持つ除湿経路と、同風路を経路とする前記吸込口と吹出口とは別の吸込口と吹出口を持つ再生経路とを構成した吸着除湿装置を、履物類を収納する棚段を有する開閉可能の箱体に組込み、前記除湿経路の出入口を前記箱体内に連絡させ、前記再生経路の出入口を前記箱体外に連絡させ、前記除湿経路と前記再生経路とをモーターで動作する開閉ダンパ機構によって切換え、前記再生経路による再生運転と前記除湿経路による除湿運転とを交番して行うようにするとともに、前記箱体には各棚段に前記除湿経路の吹出口からの気流を送り、除湿経路の吸込口に導く送風路を構成した下足箱。
【請求項２】
請求項１に記載の下足箱であって、吸着除湿装置を箱体の最上部に組込んだ下足箱。
【請求項３】
請求項１に記載の下足箱であって、吸着除湿装置を箱体の最下部に組込んだ下足箱。
【請求項４】
請求項１〜請求項３までのいずれかに記載の下足箱であって、箱体の送風路を棚段の背後側と前部側に設けた下足箱。
【請求項５】
請求項１〜請求項３までのいずれかに記載の下足箱であって、箱体の送風路を棚段の両側部に設けた下足箱。
【請求項６】
請求項１〜請求項５までのいずれかに記載の下足箱であって、再生経路の吹出口に脱臭フィルタを設けた下足箱。
【請求項７】
請求項１〜請求項５までのいずれかに記載の下足箱であって、除湿経路の吸込口に脱臭フィルタを設け、その下流側に除塵フィルタを設けた下足箱。
【請求項８】
請求項１〜請求項５までのいずれかに記載の下足箱であって、除湿器自体に脱臭機能を付与した下足箱。
【発明の詳細な説明】
【技術分野】
【０００１】
本発明は、履物を乾燥状態に保管する下足箱に関するものである。
【背景技術】
【０００２】
物品を乾燥状態に保管するための保管庫は、大きく分けて塩化カルシウムやペレット状のシリカゲル等の乾燥剤に庫内の湿気を吸湿させて庫内を乾燥雰囲気にするものと、吸着材を備えた吸着除湿装置に庫内の空気を循環し吸着材に吸湿させて庫内を乾燥雰囲気にするものとがある。例えば、特許文献１，２参照。天然ゼオライトやシリカゲルを吸着材として使った保管庫は、水も溜まらず、一度吸湿した吸着材に熱を加えて放湿させることによって再生できる。
【０００３】
【特許文献１】特開平４―１８４０８２号公報
【特許文献２】特開２００３―９３８３３号公報
【発明の開示】
【発明が解決しようとする課題】
【０００４】
従来の保管庫は、再生経路を庫外に連絡させる必要から吸着除湿装置が外付けにされている。従って、設置場所に制約を受けたり、設置スペースが広く必要だったりする。可逆的な吸放湿機能を持つ吸湿材を備えた吸着除湿装置を利用して履物を乾燥状態に収納しておく下足箱の開発を試みたが、上述のような設置場所の制約の問題や設置スペースの問題の他、収納部分に履物を単に入れておくだけでは、単なる物品の乾燥庫となってしまい、下足箱としては機能しないといった新たな問題点もでてきた。また、湿気ったり濡れた履物をそのまま収納しておくと、カビの発生や細菌が繁殖し、異臭がしたり衛生的でないことも問題点として浮上した。
【０００５】
本発明は、上記した課題を解決するためになされたものであり、その目的とするところは、湿気ったり濡れた履物を乾燥状態で整理良く保管することができる設置スペースを取らない下足箱を開発することであり、履物から出る臭気を簡単に除去できる下足箱を開発することである。
【課題を解決するための手段】
【０００６】
上記課題を解決するために本発明は、空気を通す多数の通路を有し、可逆的な吸放湿機能を備えた除湿器と、この除湿器の通路に通風させる送風機と、除湿器に通す空気を昇温する加熱手段とを組込んだ風路を外殻内に構成し、この風路を経路とする吸込口と吹出口を持つ除湿経路と、風路を経路とする前記吸込口と吹出口とは別の吸込口と吹出口を持つ再生経路とを構成した吸着除湿装置を、履物類を収納する棚段を有する開閉可能の箱体に組込み、除湿経路の出入口を箱体内に連絡させ、再生経路の出入口を箱体外に連絡させ、除湿経路と再生経路とをモーターで動作する開閉ダンパ機構によって切換え、再生経路による再生運転と除湿経路による除湿運転とを交番して行うようにするとともに、箱体には各棚段に除湿経路の吹出口からの気流を送り、除湿経路の吸込口に導く送風路を構成する手段を採用する。
【発明の効果】
【０００７】
本発明によれば、吸着除湿装置が外付けでなく、箱体に内蔵されているので、凹凸のない設置スペースを取らない外形となり、棚段に整理良く履物を並べて収納しておくことができる。棚段に収納した履物は、各棚段に除湿経路の吹出口からの気流を送り、除湿経路の吸込口に導く送風路中に置かれるため、各棚段の履物の湿気を効果的に除湿することができる。
【発明を実施するための最良の形態】
【０００８】
本発明の下足箱は、吸着除湿装置が箱体内の底側に組込まれて構成されている。吸着除湿装置は、空気を通す多数の通路を有し、可逆的な吸放湿機能を備えた除湿器と、除湿器の通路に通風させる送風機と、除湿器に通す空気を昇温する加熱手段とを組込んだ風路が外殻内に構成されている。吸着除湿装置には、風路を経路とする箱体内に通じる吸込口と吹出口を持つ除湿経路と、風路を経路とする前記吸込口と吹出口とは別の、箱体の底部で箱体外と連絡する吸込口と吹出口を持つ再生経路が構成されている。箱体は、前面が開閉可能で内部に靴などの履物を収納する複数の棚段を備えている。箱体には、各棚段に通じる一連の送風路が設けられている。送風路は、箱体の背面の往き側と、往き側から各棚段に通じる連絡路と、各棚段の前方に通じる戻り側とで構成され、往き側は、除湿経路の吹出口に臨み、戻り側は除湿経路の吸込口に臨んでいる。除湿経路と再生経路とはモーターで動作する開閉ダンパ機構によって切換え得るようになっていて、再生経路による再生運転と除湿経路による除湿運転とを交番して行うようにする。
【０００９】
箱体の棚段に履物を入れ、電源を投入すると、再生経路が開かれ、除湿器を再生する再生運転を行い、その後、除湿経路が開かれ、除湿運転を行い、これを交互に繰返して箱体内を乾燥雰囲気にする。箱体内は、各棚段へ乾燥空気が送風路により満遍なく送られ乾燥雰囲気に維持され、湿気を帯びた履物は、最適な乾燥状態で保管されることになる。この下足箱は、熱による乾燥処理をしないので、棚段の履物が変質したり設置場所周囲への熱の悪影響も回避できる。
【００１０】
実施の形態１．
図１〜図４によって示す本実施の形態は、履物を乾燥雰囲気において収納する下足箱に関するものである。この下足箱は、図１の断面図によって全体を示すように足付きの箱体１と箱体１内を乾燥雰囲気に加工する吸着除湿装置２とから構成されている。箱体１は、前面の開閉できる六面体の箱で、内部に履物３を収納する複数の棚段４を備えている。箱体１には、各棚段４に通じる一連の送風路が設けられている。送風路は、箱体１の背面の往き側５と、往き側５から各棚段４に通じる連絡路６と、各棚段４の前方に通じる戻り側７とで構成されている。
【００１１】
吸着除湿装置２は、図２の断面図によって示すように、空気を通す直線状の多数の通路８を持つ静止状態に置かれた除湿器９と、送風機１０と、加熱手段１１とを主体として構成され、箱体１内の底部に組付けられている。この除湿器９の通路８に通風させる送風機１０と、除湿器９に通す空気を昇温させる加熱手段１１を六面体の外殻１２内の風路１３に組込んで図２に示すような吸着除湿装置２が構成されている。
【００１２】
吸着除湿装置２の風路１３の吸込口１４，１５と吹出口１６，１７はそれぞれ隣接する外殻１２の二面に対形態に開口している。外殻１２内には一方の吸込口１４から風路１３を経て一方の吹出口１６に至る除湿経路と、他方の吸込口１５から風路１３を経て他方の吹出口１７に至る再生経路が構成されている。除湿経路の吸込口１４は、送風路の戻り側７に臨んでおり、吹出口１６は送風路の往き側５に臨んでいて、除塵フィルタ１８が設けられている。再生経路の吸込口１５と吹出口１７は、いずれも箱体１の底面から箱体１外に気密を保って連絡され、吸込口１５には除塵フィルタ１８が設けられている。
【００１３】
除湿経路と再生経路の各吸込口１４，１５と各吹出口１６，１７は、開閉ダンパ機構１９によって開閉される。開閉ダンパ機構１９は、ステッピングモーターの回転軸上に、それぞれ吸込口開閉ブレードと吹出口開閉ブレードが取付けられている。除湿器９は、セラミックス等の無機質繊維にシリカゲル等の吸湿材を重合反応を利用して、結合させたコルゲート構造材やハニカム構造材を積層して、被処理空気を通す直線状の多数の通路８が全体にわたって分布する直方体状に構成したもので、可逆的な吸放湿機能を有する。各通路８は平行状でそれらの開口端は全て除湿器９の対向する二面に開口している。この除湿器９の構造は、低圧損なため送風機１０は小型のもので良い。
【００１４】
加熱手段１１は、正特性サーミスタと熱的に接続された放熱フィンが一体化された構成で、除湿器９の前段において風路１３を縦断する状態に組付けられている。除湿器９と外殻１２との間には断熱空気層又は多泡性の断熱樹脂の断熱構造が設けられ、再生時に効率よく除湿器９を加熱するようになっている。
【００１５】
この下足箱は、箱体１の棚段４に履物３を入れ、電源を投入することにより、開閉ダンパ機構１９によって先ず、再生経路が開放され、送風機１０及び加熱手段１１が動作し、除湿器９の再生が行われ、続いて開閉ダンパ機構１９によって除湿経路が開放され、送風機１０が動作し、除湿運転が行われる。そして、再生経路と除湿経路とを交互に開閉させて、除湿器９に再生過程と除湿過程とを交番させることにより箱体１内を乾燥雰囲気にする。箱体１内を除湿する除湿運転は、ステッピングモーターを回転させ、再生経路の吸込口１５及び吹出口１７を、吸込口開閉ブレード及び吹出口開閉ブレードによって閉止しておいて、送風機１０を運転させることにより行われる。即ち、開放された除湿経路により箱体１内に循環気流が形成され、除湿器９を通過するたびに箱体１内の湿気が分子状態で除湿器９に吸着され箱体１内は迅速に低温乾燥雰囲気になり、棚段４に置かれた履物３は湿気のない衛生的な状態で保管される。
【００１６】
水の分子を吸着するにつれ除湿器９の吸着能は低下するので、除湿器９を再生過程において再生させる再生運転が行われる。除湿器９の再生は、ステッピングモーターを回転させ、除湿経路の吸込口１４及び吹出口１６を、吸込口開閉ブレード及び吹出口開閉ブレードによって閉止し、送風機１０を運転させて、加熱手段１１に通電することによって、約７０℃ほどの温度下で再生が行われる。即ち、開放された再生経路により箱体１外の空気が吸込口１５から吸込まれ、加熱手段１１の放熱板を通過することにより加熱され除湿器９の通路８を通ることで除湿器９の水分子が放出される。この後、加熱手段１１への通電を断って送風機１０のみの運転による除湿器９の冷却運転が行われ、除湿運転に移行する。
【００１７】
再生運転で吸着除湿装置２に吸込まれる箱体１外の空気は除塵フィルタ１８により塵埃が除去され、除湿器９の目詰まりが防止される。また、除湿運転で吸着除湿装置２を循環する空気は、吹出口１６に設けた除塵フィルタ１８により塵埃が除去され、箱体１内の履物３から生じる塵埃が除去され、箱体１内は清浄な乾燥雰囲気に維持される。この下足箱は外形に凹凸がないので設置場所の制約が少なく、設置スペースも少なく、玄関脇等の場所に簡単に設置することができる。
【００１８】
再生運転によって箱体１外（室内）へ吹出される空気には、除湿器９に吸着した水分子とともに履物３から放出された臭気成分も一緒に含まれ、室内の雰囲気を阻害しかねない。これを防ぐには、図２に示すように脱臭フィルタ２０を再生経路の吹出口１７か除湿経路の吸込口１４のいずれかに設ければ良い。除湿経路の吸込口１４に脱臭フィルタ２０を設ければ、除湿器９への臭気の吸着を防ぐことができるとともに、箱体１内の履物３同士に臭気が移るようなことも防止できる。
【００１９】
また、図４に示すように脱臭フィルタ２０と除塵フィルタ１８の位置関係を、脱臭フィルタ２０を除塵フィルタ１８の上流側にすることにより除塵フィルタ１８のメンテナンスを軽減することができる。除塵フィルタ１８は、メッシュの細かい網目構造をしているのに対して、脱臭フィルタ２０は、比較的メッシュの粗いマトリックス状の通風構造をしている。例えば、除塵フィルタ１８の網目の開口幅は約二ｍｍであるが、脱臭フィルタ２０の開口幅は約五ｍｍである。つまり、糸屑のような比較的大きな塵は、脱臭フィルタ２０によって除去され、その後、脱臭フィルタ２０を通過した細かい塵埃が除塵フィルタ１８で除去されることになる。従って、除塵フィルタ１８が短期間で目詰まりすることがなく、脱臭フィルタ２０に脱臭と除塵の両方の機能を果たさせることができる。
【００２０】
箱体１の送風路に関しては、棚段４の背後から前面側に構成すると棚段４の履物３に均等に乾燥空気を接触させることができ、効果的な乾燥ができるが、前面が開閉構造であり気密性に欠けることから、棚段４の両側に構成し、乾燥空気の箱体１外への漏れを最小限にするようにしても良い。また、吸着除湿装置２は、箱体１の底部に設置する方が、再生経路の箱体１外への連絡が容易で、除塵フィルタ１８のメンテナンスも容易であるが、箱体１の最上部に設置することにより、棚段４の履物３から落ちる砂や泥の吸着除湿装置２への侵入を回避することができる。
【００２１】
実施の形態２．
図５によって示す本実施の形態は、除湿器の構成に関するもので、これ以外の基本的な構成は実施の形態１のものと同じである。従って、実施の形態１と同じ部分については、実施の形態１のものと同じ符号を用い、それらの説明は省略する。
【００２２】
図５は、本実施の形態の除湿器の斜視図である。この下足箱の除湿器９は、脱臭機能も備えており、脱臭フィルタでもある。無機バインダーと、活性化エネルギの高い例えば、酸化マンガンなどの遷移金属酸化物の触媒と、ゼオライトやシリカゲルのような多泡状の吸湿材を混練した基材を図５に示すようなハニカム構造に成形したものである。また、ゼオライトやシリカゲルのような多泡状の吸湿材に活性炭を混練した基材をハニカム構造に成形したものでも良い。この除湿器９を用いることにより、除湿しながら脱臭もでき、よりコンパクトでメンテナンスの容易な下足箱が得られる。これ以外の機能は、実施の形態１のものと同じである。
【図面の簡単な説明】
【００２３】
【図１】下足箱を示す断面図である。（実施の形態１）
【図２】吸着除湿装置の断面図である。（実施の形態１）
【図３】吸着除湿装置の縦断側面図である。（実施の形態１）
【図４】他の吸着除湿装置の断面図である。（実施の形態１）
【図５】除湿器の斜視図である。（実施の形態２）
【符号の説明】
【００２４】
１  箱体、  ２  吸着除湿装置、  ４  棚段、  ５  往き側、  ６  連絡路、  ７  戻り側、  ８  通路、  ９  除湿器、  １０  送風機、  １１  加熱手段、  １４，１５  吸込口、  １６，１７  吹出口、  １８  除塵フィルタ、  １９  開閉ダンパ機構、  ２０  脱臭フィルタ。
【図１】
2005230324.tif 000003
【図２】
2005230324.tif 000004
【図３】
2005230324.tif 000005
【図４】
2005230324.tif 000006
【図５】
2005230324.tif 000007